(57)【特許請求の範囲】
【請求項１】
配電盤キャビネットのボトム側に結合支持座によって取り囲まれた開口が設けられており、該開口が、並列されかつ前記結合支持座に結合される複数のボトムプレートによって閉鎖されていて、隣合ったボトムプレートの互いに対応した側が、シールストリップの固着された屈曲縁部を有し、かつケーブルが前記シールストリップ間を通って配電盤キャビネット内へ導入され、かつ前記シールストリップの変形によって封隙されている形式の、配電盤用のケーブル導入部において、
ボトムプレート（１０）の縁部が二重折り曲げ部として形成されており、該二重折り曲げ部の第１の区分（１１）が、前記ボトムプレート（１０）の上面側又は下面側へ向かって方位づけられているのに対して、前記二重折り曲げ部の第２の終端区分（１２）が前記第１の区分（１１）にわたって延びて前記ボトムプレート（１０）の下面側又は上面側に向かって突出し、かつシールストリップ（２０）が前記二重折り曲げ部の終端区分（１２）の全幅にわたって延在していることを特徴とする、配電盤キャビネット用のケーブル導入部。
【請求項２】
ボトムプレート（１０）が、二重折り曲げ部を有してない辺側に、二重折り曲げ部を超えて延長された支承縁部（１３）を有している、請求項１記載のケーブル導入部。
【請求項３】
ボトムプレート（１０）が、二重折り曲げ部に向き合って位置する辺側に、１回屈曲された縁部（１６）を有している、請求項１又は２記載のケーブル導入部。
【請求項４】
１回屈曲された縁部（１６）が、ボトムプレート（１０）の下面側に突出し、かつ前記ボトムプレート（１０）の支承縁部（１３）の手前で終わっている、請求項３記載のケーブル導入部。
【請求項５】
支承縁部（１３）の角隅が斜め面取り部（１４，１５）を有している、請求項２から４までのいずれか１項記載のケーブル導入部。
【請求項６】
二重折り曲げ部の終端区分（１２）が、ボトムプレート（１０）の上側及び下側で互いに等しい長さ分だけ突出している、請求項１から５までのいずれか１項記載のケーブル導入部。
【発明の詳細な説明】
【０００１】
本発明は、配電盤キャビネットのボトム側に結合支持座によって取り囲まれた開口が設けられており、該開口が、並列可能かつ前記結合支持座に結合可能な複数のボトムプレートによって閉鎖可能であり、隣合ったボトムプレートの互いに対応した側が、シールストリップの固着された屈曲縁部を有し、かつケーブルが前記シールストリップ間を通って配電盤キャビネット内へ導入され、かつ前記シールストリップの変形によって封隙されている形式の、配電盤用のケーブル導入部に関する。
【０００２】
前記形式のケーブル導入部は、ドイツ連邦共和国実用新案第７８１６７２９号明細書に基づいて公知になっている。その場合シールストリップは、プラスチックフォーム・ブロックとして形成されている。隣り合ったボトムプレートが並列配置されると、隣接ボトムプレートのプラスチックフォーム・ブロック間に導入されたケーブルは、並列配置時にボトムプレート相互が圧着されると共にプラスチックフォーム・ブロックが変形されることによって封隙される。ボトムプレートの縁部はその場合、等しくボトムプレートの一方の側へ向かって屈曲されているので、相当に広い封隙部位の場合には、ボトムプレートのこの側に、前記縁部のために充分なスペースが存在していなければならない。これによってボトムプレート上位の据付け空間はそれ相応に小さくなる。
【０００３】
ドイツ連邦共和国特許第１９６０４２１９号明細書に開示されているように、ボトムプレートの一方の側に、ボトムプレートの他方の側の方に向いた付加的な縁部を設けることも公知である。これによってシールストリップの外側に縁部域が形成され、該縁部域は、ケーブルをボトムプレートに引張り負荷なく、かつ／又は導電的に結合するための１列の取付け手段を備えることができる。
【０００４】
本発明の課題は、明細書冒頭で述べた形式のケーブル導入部を改良して、ボトムプレートの上位及び下位の据付け空間を著しく制限することなく、かつボトムプレートの製作費を著しく高めることなしに、充分に広い封隙部位を提供できるようにすることである。
【０００５】
前記課題を解決するための本発明の構成手段は、ボトムプレートの縁部が二重折り曲げ部として形成されており、該二重折り曲げ部の第１の区分が、前記ボトムプレートの上面側又は下面側へ向かって方位づけられているのに対して、前記二重折り曲げ部の第２の終端区分が前記第１の区分にわたって延びて前記ボトムプレートの下面側又は上面側に向かって突出し、かつシールストリップが前記二重折り曲げ部の終端区分の全幅にわたって延在している点にある。
【０００６】
二重折り曲げ部として構成されたボトムプレート縁部は簡単に製作可能であり、かつボトムプレートの両側で延びるので、封隙部位が比較的広い場合でさえも、ボトムプレートの上位でも下位でも据付け空間は無視できる程度にしか制限されない。
【０００７】
ボトムプレートを配電盤キャビネットの結合支持座と簡単に結合できるようにするために、本発明の構成では、ボトムプレートは、二重折り曲げ部を有してない辺側に、二重折り曲げ部を超えて延長された支承縁部を有している。その場合、配電盤キャビネットの結合支持座へのボトムプレートの支承を二重折り曲げ部が妨害することはない。ボトムプレートの片側にしかケーブル導入部を設けない場合、該ボトムプレートは、二重折り曲げ部に向き合って位置する辺側に、１回屈曲された縁部を有するように単純化されている。
【０００８】
この１回屈曲された縁部は、１回屈曲された縁部を、ボトムプレートの下面側に突出させ、かつ前記ボトムプレートの支承縁部の手前で終わっているようにすれば、この１回屈曲された縁部が、ボトムプレートと結合支持座との結合を妨げることはない。
【０００９】
前記ボトムプレートの支承縁部の角隅には斜め面取りが施されているのが有利である。
【００１０】
有利な構成では、二重折り曲げ部の終端区分は、ボトムプレートの上側及び下側で等しい部分にわたって突出している。
【００１１】
ケーブルをボトムプレートに引張り負荷なく結合すること、或いは導電結合することが所望される場合には、本発明の別の実施形態では、二重折り曲げ部の終端区分が少なくとも片側で、固着されたシールストリップを超えて拡幅されており、かつこの拡幅領域には、ケーブルをボトムプレートに引張り負荷なく、かつ／又は導電的に結合するための少なくとも１列の取付け手段を備えているのが有利である。
【００１２】
次に図面に基づいて本発明の実施例を詳説する。
【００１３】
斜視図で示したボトムプレート１０は長方形に形成されており、かつ１つの縦辺側だけがケーブル導入部として規定されている。該縦辺側は二重折り曲げ部を有し、該二重折り曲げ部は、ボトムプレート１０のこの縦辺側を簡単に屈曲成形される。その場合、第１区分１１はボトムプレート１０の上側へ向かって方位づけられており、かつ終端区分１２は第１区分１１にわたって延びて、該第１区分に接しており、ボトムプレート１０下面で張出すこともない。プラスチックフォーム・ブロックとして形成されたシールストリップ２０は終端区分１２の全幅にわたって延在している。二重折り曲げ部の両端は、ボトムプレート１０の両狭幅辺部の手前で終わっており、該狭幅辺部は、ボトムプレート１０を配電盤キャビネットの結合支持座と結合するための支承縁部１３として使用される。ボトムプレート１０の角隅は、斜め面取り部１４，１５で示したように、斜め面取りを施されている。シールストリップ２０を有する二重折り曲げ部に向き合った側では、ボトムプレート１０は、下側へ向かって１回屈曲された縁部１６を有し、該縁部は、二重折り曲げ部に相応して支承縁部１３の手前で終わっている。勿論またボトムプレート１０のこの縦辺側に、二重折り曲げ部とシールストリップ２０を配備することも可能である。更にまた第１区分１１をボトムプレート１０の下側へ方位づけ、かつボトムプレート１０の１回屈曲された縁部１６をボトムプレート１０の上側へ方位づけることも可能である。
【００１４】
終端区分１２は、シールストリップ２０を超えて拡幅されていてもよく、かつこの拡幅領域には、導入されたケーブルをボトムプレート１０に引張り負荷なく、かつ／又は導電的に結合するための１列の取付け手段を備えることもできる。
【図面の簡単な説明】
【図１】本発明の１実施例の斜視図である。
【符号の説明】
１０  ボトムプレート、  １１  第１区分、  １２  終端区分、  １３  支承縁部、  １４，１５  斜め面取り部、  １６  縁部、  ２０  シールストリップ
【図１】
0003549839.tif 000002